(57)【要約】      （修正有）【課題】発電要素における電解液の不足が生じず、長期使用を可能にする蓄電素子及び蓄電素子パックを提供する。【解決手段】蓄電素子は、容器２と、この容器２内に収容された発電要素１０と、容器２内に貯留された余剰電解液３とを備え、発電要素１０は、正極と、負極と、正極及び負極の間に配置されたセパレーターとを含み、容器２を任意の角度に傾斜した時に、セパレーターが余剰電解液３と接触している。【選択図】図３
2014135253.tif 000002
【特許請求の範囲】
【請求項１】
容器と、
前記容器内に収容された発電要素と、
前記容器内に貯留された余剰電解液とを備え、
前記発電要素は、正極と、負極と、前記正極及び前記負極の間に配置されたセパレーターとを含み、
前記容器を任意の角度に傾斜した時に、前記セパレーターが前記余剰電解液と接触している、蓄電素子。
【請求項２】
前記発電要素は、前記正極と、前記負極と、前記セパレーターとが巻回されてなり、
前記余剰電解液の量の上限は、前記容器を任意の角度に傾斜した時に、最内周に位置する前記セパレーターと前記余剰電解液が接触する最小の量である、請求項１に記載の蓄電素子。
【請求項３】
請求項１または２に記載の蓄電素子を複数備える、蓄電素子パック。
【請求項４】
複数の前記蓄電素子のうちの少なくとも２つの前記蓄電素子の載置面が異なる、請求項３に記載の蓄電素子パック。
【発明の詳細な説明】
【技術分野】
【０００１】
本発明は、蓄電素子及び蓄電素子パックに関する。
【背景技術】
【０００２】
近年、自動車、自動二輪車等の車両、携帯端末、ノート型パソコン等の各種機器などの動力源として、リチウムイオン電池、ニッケル水素電池等の電池、電気二重層キャパシタ等のキャパシタといった放充電可能な蓄電素子が採用されている。このような蓄電素子は、例えば、特開２０１０−１９８９５３号公報（特許文献１）などに開示されている。
【０００３】
特許文献１に開示の二次電池は、容器と、この容器の内部に保持された発電要素とを有し、容器の内部に収容されている電解液の量が、発電要素に含浸されない余剰液を生じる量であるとともに、容器が静止している状態では余剰液が発電要素に接触しない量である。この特許文献１の二次電池によれば、発電要素から電解液の一部がしみ出ると、余剰液の量が増加し、この状態では、振動等により余剰液と電極体とが接触しうるので、余剰液の一部が発電要素に含浸されて、発電要素における電解液不足が防止されることが開示されている。
【先行技術文献】
【特許文献】
【０００４】
【特許文献１】特開２０１０−１９８９５３号公報
【発明の概要】
【発明が解決しようとする課題】
【０００５】
上記特許文献１には、蓋部材が上に、容器底面が下になる状態で載置されている時の電解液の量が記載されており、この状態で二次電池を載置することが前提となっている。しかし、二次電池が機器に搭載される方向は、二次電池の設計段階では未知である場合があり、搭載される方向によっては、発電要素における電解液の不足が生じる。発電要素において電解液の不足が生じると、二次電池は長期間の使用に耐えることができない。
【０００６】
本発明は、上記問題点に鑑み、長期使用を可能にする蓄電素子及び蓄電素子パックを提供することを課題とする。
【課題を解決するための手段】
【０００７】
本発明の蓄電素子は、容器と、この容器内に収容された発電要素と、この容器内に貯留された余剰電解液とを備え、発電要素は、正極と、負極と、この正極及び負極の間に配置されたセパレーターとを含み、容器を任意の角度に傾斜した時に、セパレーターが余剰電解液と接触している。
【０００８】
本発明の蓄電素子によれば、容器を任意の方向に傾斜した時に、セパレーターは余剰電解液と接触しているので、蓄電素子を任意の方向に向けて機器に搭載しても、発電要素中の電解液が不足した時には、余剰電解液を供給することができる。したがって、発電要素における電解液の不足を抑制できるので、蓄電素子の長期使用を可能にすることができる。
【０００９】
上記蓄電素子において好ましくは、上記発電要素は、正極と、負極と、セパレーターとが巻回されてなり、上記余剰電解液の量の上限は、容器を任意の角度に傾斜した時に、最内周に位置するセパレーターと余剰電解液が接触する最小の量である。
【００１０】
これにより、容器内に貯留する電解液の量を低減することができるので、蓄電素子の重量を低減することができる。
【００１１】
本発明の蓄電素子パックは、上記蓄電素子を複数備える。本発明の蓄電素子パックによれば、長期使用を可能にする蓄電素子を備えているので、蓄電素子パックの長期使用を可能にする。
【００１２】
上記蓄電素子パックにおいて好ましくは、複数の蓄電素子のうちの少なくとも２つの蓄電素子の載置面が異なる。本発明の蓄電素子は任意の角度に載置しても長期使用を可能にするので、異なる方向に蓄電素子を載置した場合であっても、複数の蓄電素子の各々の長期使用が可能であるので、蓄電素子パックの長期使用を可能にする。
【発明の効果】
【００１３】
以上説明したように、本発明は、長期使用が可能な蓄電素子及び蓄電素子パックを提供することができる。
【図面の簡単な説明】
【００１４】
【図１】本発明の実施の形態１における蓄電素子の一例である非水電解液二次電池を概略的に示す斜視図である。
【図２】本発明の実施の形態１における非水電解液二次電池の容器の内部を概略的に示す斜視図である。
【図３】図２におけるＩＩＩ−ＩＩＩ線に沿った断面図であり、本発明の実施の形態１における非水電解液二次電池を概略的に示す断面図である。
【図４】本発明の実施の形態１における非水電解液二次電池を構成する発電要素を概略的に示す模式図である。
【図５】本発明の実施の形態１における発電要素を構成する正極及び負極を概略的に示す拡大模式図である。
【図６】本発明の実施の形態に１おける非水電解液二次電池を斜めに傾斜させた状態を概略的に示す断面図である。
【図７】本発明の実施の形態に１おける非水電解液二次電池を横に傾斜させた状態を概略的に示す断面図である。
【図８】本発明の実施の形態に１おける非水電解液二次電池を下に傾斜させた状態を概略的に示す断面図である。
【図９】図２におけるＩＸ−ＩＸ線に沿った断面図であり、本発明の実施の形態１における非水電解液二次電池を構成する発電要素と電解液とを概略的に示す断面図である。
【図１０】図２におけるＩＸ−ＩＸ線に沿った断面図であり、本発明の実施の形態１における非水電解液二次電池を構成する発電要素と電解液とを概略的に示す断面図である。
【図１１】本発明の実施の形態２における蓄電素子パックの内部を概略的に示す斜視図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
（実施の形態１）
図１〜図１０を参照して、本発明の一実施の形態である蓄電素子の一例である非水電解液二次電池１を説明する。
【００１７】
図１〜図３に示すように、本実施の形態の非水電解液二次電池１は、容器２と、この容器２に収容された余剰電解液３と、容器２に取り付けられた外部ガスケット５と、この容器２に収容された発電要素１０と、この発電要素１０と電気的に接続された集電部７と、集電部７と電気的に接続された外部端子２１、２３とを備えている。
【００１８】
図１に示すように、容器２は、発電要素１０を収容する本体部（ケース）２ａと、本体部２ａを覆う蓋部２ｂとを有している。本体部２ａ及び蓋部２ｂは、例えばステンレス鋼板で形成され、互いに溶接されている。
【００１９】
蓋部２ｂの外面には外部ガスケット５が配置され、蓋部２ｂの開口部と外部ガスケット５の開口部とが連なっている。外部ガスケット５は例えば凹部を有し、この凹部内に外部端子２１、２３が配置されている。
【００２０】
外部端子２１、２３は、発電要素１０に接続された集電部７（図３参照）と接続され、発電要素１０と電気的に接続されている。なお、集電部７の形状は特に限定されないが、例えば板状である。外部端子２１、２３は、例えばアルミニウム、アルミニウム合金等のアルミニウム系金属材料で形成されている。
【００２１】
外部ガスケット５、集電部７及び外部端子２１、２３は、正極用と負極用とが設けられている。正極用の外部ガスケット５、集電部７及び外部端子２１は、蓋部２ｂの長手方向における一端側に配置され、負極用の外部ガスケット５、集電部７及び外部端子２３は、蓋部２ｂの長手方向における他端側に配置されている。
【００２２】
図２及び図３に示すように、容器２の本体部２ａの内部には、発電要素１０が収容されている。この状態で、容器２と発電要素１０との間には、空間が形成されている。容器２内には、１つの発電要素が収容されていてもよく、複数の発電要素が収容されていてもよい。後者の場合には、複数の発電要素１０は、電気的に並列に接続されている。
【００２３】
図４に示すように、発電要素１０は、正極１１と、セパレーター１２と、負極１３とを含んでいる。発電要素１０において、負極１３の外周側にセパレーター１２が形成され、このセパレーター１２の外周側に正極１１が形成され、この正極１１の外周側にセパレーター１２が形成されている。本実施の形態の発電要素１０は、負極１３上にセパレーター１２が配置され、このセパレーター１２上に正極１１が配置され、この正極１１上にセパレーター１２が配置された状態で巻回され、筒状に形成されている。
【００２４】
なお、発電要素１０は、巻回式に特に限定されず、積層式であってもよい。
【００２５】
図５に示すように、発電要素１０を構成する正極１１は、正極集電箔１１Ａと、この正極集電箔１１Ａに形成された正極合剤層１１Ｂとを有している。発電要素１０を構成する負極１３は、負極集電箔１３Ａと、この負極集電箔１３Ａに形成された負極合剤層１３Ｂとを有している。本実施の形態では、正極集電箔１１Ａ及び負極集電箔１３Ａの表面及び裏面のそれぞれに、正極合剤層１１Ｂ及び負極合剤層１３Ｂが形成されているが、本発明はこの構造に特に限定されない。例えば、正極集電箔１１Ａ及び負極集電箔１３Ａの表面または裏面に、正極合剤層１１Ｂ及び負極合剤層１３Ｂが形成されていてもよい。ただし、正極合剤層１１Ｂには、負極合剤層１３Ｂが対面している。
【００２６】
なお、本実施の形態では、正極基材及び負極基材として、正極集電箔及び負極集電箔を例に挙げて説明しているが、本発明は、正極基材及び負極基材は箔状に限定されない。
【００２７】
正極合剤層１１Ｂは、正極活物質と、導電助剤と、バインダとを有している。負極合剤層１３Ｂは、負極活物質と、バインダとを有している。なお、負極合剤層１３Ｂは、導電助剤をさらに有していてもよい。
【００２８】
正極活物質は、正極において充電反応及び放電反応の電極反応に寄与し得る物質である。正極活物質の材料は、特に限定されず、例えば、ニッケル酸リチウム（ＬｉＮｉＯ2）、スピネルマンガン酸リチウム（ＬｉＭｎ2Ｏ4）、コバルト酸リチウム（ＬｉＣｏＯ2）等のリチウム複合酸化物などを用いることができる。
【００２９】
負極活物質は、負極において充電反応及び放電反応の電極反応に寄与し得る物質であり。負極活物質の材料は、特に限定されず、例えば、非晶質炭素、難黒鉛化炭素、易黒鉛化炭素、黒鉛等の炭素系物質などを用いることができる。
【００３０】
バインダは、特に限定されず、例えば、ポリアクリロニトリル、ポリフッ化ビニリデン（ＰＶＤＦ）、フッ化ビニリデンとヘキサフルオロプロピレンとの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレン、ポリカーボネートなどを用いることができる。
【００３１】
セパレーター１２は、正極１１及び負極１３の間に配置され、正極１１と負極１３との電気的な接続を遮断しつつ、電解液の通過を許容するものである。
【００３２】
セパレーター１２は、１層であってもよく、基材と、この基材の一方面上に形成された無機層とを含む２層以上であってもよい。また、セパレーター１２の両面に無機層を塗布したものでもよい。さらには、セパレーター１２は、例えばポリエチレン／ポリプロピレン／ポリエチレンといった３層構造でもよい。セパレーター１２を多層構造にする技術と同様に、活物質などが塗布された電極板の上にオーバーコート処理をした場合であってもよい。
セパレーター１２が１層の場合には、例えば、ポリオレフィン製微多孔膜などを用いることができる。
【００３３】
セパレーター１２が基材と無機層とを含む場合、基材は、特に限定されず、樹脂多孔膜全般を用いることができ、例えば、ポリマー、天然繊維、炭化水素繊維、ガラス繊維またはセラミック繊維の織物、または不織繊維を用いることができる。
【００３４】
また、無機層は、無機塗工層とも言われ、例えば、無機粒子、バインダなどを含む。無機粒子は、特に限定されず、例えば、酸化鉄、ＳｉＯ2、Ａｌ2Ｏ3、ＴｉＯ2、ＢａＴｉＯ2、ＺｒＯ、アルミナ−シリカ複合酸化物などの酸化物微粒子、窒化アルミニウム、窒化ケイ素などの窒化物微粒子、フッ化カルシウム、フッ化バリウム、硫酸バリウムなどの難溶性のイオン結晶微粒子、シリコン、ダイヤモンドなどの共有結合性結晶微粒子、タルク、モンモリロナイトなどの粘土微粒子、ベーマイト、ゼオライト、アパタイト、カオリン、ムライト、スピネル、オリビン、セリサイト、ベントナイト、マイカなどの鉱物資源由来物質あるいはそれらの人造物などを用いることができる。
【００３５】
バインダは、正極及び負極が有するバインダと同様であるので、その説明は繰り返さない。
【００３６】
なお、基材及び無機層は、単一の層で構成されていてもよく、複数の層で構成されていてもよい。
【００３７】
図２及び図３に示すように、容器２の本体部２ａの内部には余剰電解液３が貯留されている。余剰電解液３とは、発電要素１０に含浸されている電解液に対して、余剰量の電解液であり、非水電解液二次電池１が機器に搭載された角度での最下部（載置面１ａ）に溜められている。
【００３８】
容器２を任意の角度に傾斜した時に、セパレーター１２は余剰電解液３と接触している。任意の角度とは、全ての角度を意味し、図３に示すように容器２の底面全体が載置面１ａである場合（外部端子２１、２３が上向きの時）、図６に示すように容器２の底面の一端または側面の一端が載置面１ａである場合（容器２を斜めに傾斜させた時）、図７に示すように容器２の側面全体が載置面１ａである場合（容器２を横向きに傾斜させた時）、図８に示すように容器２の蓋部２ｂ（または外部端子２１、２３）が載置面１ａである場合（容器２を外部端子２１、２３が下向きになるように傾斜させた時）、図７及び図８の状態を反転及び対称にした状態などを含む。
【００３９】
非水電解液二次電池１が複数の発電要素１０を備えている場合、容器２を任意の角度に傾斜した時に、少なくとも１つの発電要素１０を構成するセパレーター１２が余剰電解液３と接触していればよいが、容器２を任意の角度に傾斜した時に、全ての発電要素１０を構成するセパレーター１２が余剰電解液３と接触していることが好ましい。また、複数の発電要素１０間に電解液を透過しない絶縁フィルム等が介在する場合には、発電要素１０の最上部まで余剰電解液３に浸漬されていることが好ましい。
【００４０】
発電要素１０が正極１１と、セパレーター１２と、負極１３とが巻回されてなる巻回型である場合、余剰電解液３の最小の量は、容器２を任意の角度に傾斜した時に、余剰電解液３の液面Ｌが最外周のセパレーター１２のみと接触している量である。例えば、容器２の底面全体が載置面１ａである場合において、余剰電解液３の液面Ｌが最外周のセパレーター１２のみと接触している状態を、図９に示す。つまり、いかなる角度に容器２を傾斜しても、常に、最外周のセパレーター１２は余剰電解液３と接触し、かつ、いずれかの角度に容器を傾斜した時の余剰電解液３の液面Ｌが、最外周のセパレーター１２のみに接触する位置である。
【００４１】
発電要素１０が巻回型である場合、余剰電解液３の最大の量は、容器２を任意の角度に傾斜した時に、余剰電解液３の液面Ｌが最内周のセパレーター１２と接触するような量のうち、最小の量である。例えば、容器２の底面全体が載置面１ａである場合において、余剰電解液３の液面Ｌが最内周のセパレーター１２と接触する状態（最内周に位置するセパレーター１２に余剰電解液３が接触する最小の量を示す状態）を図１０に示す。つまり、いかなる角度に容器２を傾斜しても、常に、最内周のセパレーター１２は余剰電解液３と接触し、かついずれかの角度に容器２を傾斜した時の余剰電解液３の液面Ｌは、最内周のセパレーター１２の１点のみに接触する位置である。言い換えると、余剰電解液３の量の上限は、容器２を任意の角度に傾斜した時に、最内周に位置するセパレーター１２に余剰電解液３が接触する量のうち、最小の量である。さらに言い換えると、容器２を任意の角度に傾斜した時、余剰電解液３は、全ての巻回（ターン）のセパレーター１２と接触する最小量が容器２に貯留されていることが好ましい。
【００４２】
余剰電解液３は、有機溶媒に電解質が溶解されている。有機溶媒としては、例えば、プロピレンカーボネート（ＰＣ）、エチレンカーボネート（ＥＣ）、ジメチルカーボネート（ＤＭＣ）、エチルメチルカーボネート（ＥＭＣ）等のエステル系溶媒や、エステル系溶媒にγ−ブチラクトン（γ−ＢＬ）、ジエトキシエタン（ＤＥＥ）等のエーテル系溶媒等を配合してなる有機溶媒等が挙げられる。また、電解質としては、過塩素酸リチウム（ＬｉＣｌＯ4）、ホウフッ化リチウム（ＬｉＢＦ4）、六フッ化リン酸リチウム（ＬｉＰＦ6）などのリチウム塩等が挙げられる。
【００４３】
続いて、本実施の形態における非水電解液二次電池１の製造方法について説明する。
まず、発電要素１０について説明する。
【００４４】
正極活物質と、導電助剤と、バインダとが混合され、この混合物が溶剤に加えられて混練りされて、正極合剤が形成される。この正極合剤が正極集電箔１１Ａの少なくとも一方面に塗布され、乾燥後、圧縮成形される。これにより、正極集電箔１１Ａ上に正極合剤層１１Ｂが形成された正極１１が作製される。圧縮成形後、真空乾燥を行う。
【００４５】
負極活物質と、バインダとが混合され、この混合物が溶剤に加えられて混練りされて、負極合剤が形成される。この負極合剤が負極集電箔１３Ａの少なくとも一方面に塗布され、乾燥後、圧縮成形される。これにより、負極集電箔１３Ａ上に負極合剤層１３Ｂが形成された負極１３が作製される。圧縮成形後、真空乾燥を行う。
【００４６】
次に、正極１１と負極１３とがセパレーター１２を介して巻回される。これにより、発電要素１０が作製される。その後、正極１１及び負極１３の各々に、集電部７が取り付けられる。
【００４７】
次に、発電要素１０が容器２の本体部２ａの内部に配置される。発電要素１０が複数の場合には、例えば、各発電要素１０の集電部を電気的に並列に接続して本体部２ａの内部に配置される。次いで、集電部は、蓋部２ｂの外部ガスケット５内の外部端子２１、２３にそれぞれ溶着され、蓋部２ｂは本体部２ａに取り付けられる。
【００４８】
次に、電解液が注液される。電解液として、例えば、プロピレンカーボネート（ＰＣ）：ジメチルカーボネート（ＤＭＣ）：エチルメチルカーボネート（ＥＭＣ）＝３：２：５（体積比）の混合溶媒に、ＬｉＰＦ6が調製されてもよい。また、公知の添加剤がさらに添加されてもよい。この工程において、発電要素１０に電解液を含浸させるとともに、容器２を任意の角度に傾斜した時に、セパレーター１２が余剰電解液３と接触するように電解液が注液される。
【００４９】
以上の工程により、図１〜図１０に示す本実施の形態における非水電解液二次電池１が製造される。
【００５０】
電解液を注液する工程を実施した後に、製造された非水電解液二次電池を全ての角度で傾斜させて、容器２を全て（任意）の角度に傾斜した時に、セパレーター１２が余剰電解液３と接触するかを確認する工程を実施してもよい。
【００５１】
以上説明したように、本実施の形態の蓄電素子の一例である非水電解液二次電池１は、容器２と、この容器２内に収容された発電要素１０と、容器２内に貯留された余剰電解液３とを備え、発電要素１０は、正極１１と、負極１３と、この正極１１及び負極１３の間に配置されたセパレーター１２とを含み、容器２を任意の角度に傾斜した時に、セパレーター１２が余剰電解液３と接触している。
【００５２】
本実施の形態の非水電解液二次電池１によれば、容器２を任意の角度に傾斜した時に、セパレーター１２が余剰電解液３と接触しているので、非水電解液二次電池１を任意の方向に向けて機器に載置しても、セパレーター１２は余剰電解液３と接触している。このため、余剰電解液３がセパレーター１２の最内周まで接触していない場合であっても、接触している箇所から、毛細管現象で最内周まで余剰電解液３を供給することができる。つまり、充放電時の正極１１及び／または負極１３の膨張収縮により発電要素１０内部の電解液が外部に押出された場合、環境温度の上昇で発電要素１０内部の電解液が発電要素１０外部に揮発する場合など、発電要素１０内の電解液が低減しても、本実施の形態の非水電解液二次電池１は、セパレーター１２を介して正極１１及び負極１３に電解液を供給することができる。
発電要素１０の外部に排出された電解液が、機器へ搭載された角度での最下部に貯留され、電解液との接触が外れると、一時的であっても、発電要素１０に再び吸収されるために長時間を要し、場合によっては使用ができなくなる。しかし、本実施の形態の非水電解液二次電池１は、あらゆる角度に傾斜して機器に搭載されても、発電要素１０に余剰電解液３を供給することで、発電要素１０内の電解液が低減することを抑制できるので、電解液との接触が外れることを抑制できる。
したがって、長期使用が可能な非水電解液二次電池１を実現できる。
【００５３】
また、本実施の形態の非水電解液二次電池１は、任意の角度に載置されても長期使用が可能であるので、設計段階でどの方向に載置されるか未定のものに用いることができるため、汎用性を高めることができる。
【００５４】
このように、本実施の形態における非水電解液二次電池１は、電解液の不足を抑制して長期使用が可能になるので、非水電解液二次電池１は、車載用のものであることが好ましく、ハイブリッド自動車用または電気自動車用のものであることがより好ましい。その中でも、非水電解液二次電池１は、バックアップ用電源等の静置使用向けが好ましい。
【００５５】
上記非水電解液二次電池１において好ましくは、発電要素１０は、正極１１と、負極１３と、セパレーター１２とが巻回されてなり、余剰電解液３の量の上限（最大量）は、容器２を任意の角度に傾斜した時に、最内周に位置するセパレーター１２と余剰電解液３とが接触する最小の量である。
【００５６】
これにより、容器２内に貯留する余剰電解液３の量を低減することができるので、非水電解液二次電池１の重量を低減することができる。
【００５７】
（実施の形態２）
図１１を参照して、本発明の実施の形態２の蓄電素子パック１００を説明する。図１１に示すように、本実施の形態の蓄電素子パック１００は、実施の形態１の蓄電素子としての非水電解液二次電池１Ｂ、１Ｃを複数備えている。
【００５８】
本実施の形態の複数の非水電解液二次電池１Ｂ、１Ｃは略同じ形状である。非水電解液二次電池１Ｂの載置面１Ｂ１と、非水電解液二次電池１Ｃの載置面とは異なる。非水電解液二次電池１Ｂは、横向きに傾斜されて配置されており、非水電解液二次電池１Ｃは、外部端子が上向きまたは下向きになるように配置されている。
【００５９】
なお、蓄電素子パック１００を構成する非水電解液二次電池１Ｂ、１Ｃの載置面が同じであってもよい。また、複数の非水電解液二次電池１Ｂ、１Ｃは、異なる形状であってもよい。
【００６０】
以上説明したように、本実施の形態の蓄電素子パック１００によれば、長期使用を可能にする実施の形態１の蓄電素子としての非水電解液二次電池１Ｂ、１Ｃを複数備えているので、蓄電素子パック１００の長期使用を可能にする。
【００６１】
上記蓄電素子パック１００において好ましくは、複数の非水電解液二次電池１Ｂ、１Ｃのうちの少なくとも２つの非水電解液二次電池の載置面１Ｂ１、１Ｃ１が異なる。これにより、蓄電素子パック１００が異なる方向に載置された複数の非水電解液二次電池１Ｂ、１Ｃを備えていても、複数の非水電解液二次電池１Ｂ、１Ｃの各々の長期使用が可能であるので、蓄電素子パックの長期使用を可能にする。
【００６２】
以上のように本発明の実施の形態について説明を行なったが、各実施の形態の特徴を適宜組み合わせることも当初から予定している。また、今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６３】
１、１Ｂ、１Ｃ  非水電解液二次電池、１ａ、１Ｂ１、１Ｃ１  載置面、２  容器、２ａ  本体部、２ｂ  蓋部、３  余剰電解液、５  外部ガスケット、７  集電部、１０  発電要素、１１  正極、１１Ａ  正極集電箔、１１Ｂ  正極合剤層、１２  セパレーター、１３  負極、１３Ａ  負極集電箔、１３Ｂ  負極合剤層、２１、２３  外部端子、１００  蓄電素子パック、Ｌ  液面。
【図１】
2014135253.tif 000003
【図２】
2014135253.tif 000004
【図３】
2014135253.tif 000005
【図４】
2014135253.tif 000006
【図５】
2014135253.tif 000007
【図６】
2014135253.tif 000008
【図７】
2014135253.tif 000009
【図８】
2014135253.tif 000010
【図９】
2014135253.tif 000011
【図１０】
2014135253.tif 000012
【図１１】
2014135253.tif 000013